(57)【要約】【課題】操作性が良い照明装置を提供する。【解決手段】実施形態の照明装置は、前面側に光を出射可能に設けられる光源部及び少なくとも一部が背面側に露出するように設けられる給電接続部を備える筐体と、筐体の下方に配設されるとともに背面側にアーム部が設けられ、給電接続部から供給される電力を変換し、この変換した電力を光源部に供給する電源部と、被設置部に対し吊り下げ固定が可能であって、光源部の照射角度が調整可能となるように筐体又は電源部の少なくとも一方に回動可能に取付られる吊り下げ部とを備える。【選択図】図１
2020202037.tif 000002
【特許請求の範囲】
【請求項１】
前面側に光を出射可能に設けられる光源部及び少なくとも一部が背面側に露出するように設けられる給電接続部を備える筐体と；
前記筐体の下方に配設されるとともに背面側にアーム部が設けられ、前記給電接続部から供給される電力を変換し、この変換した電力を前記光源部に供給する電源部と；
被設置部に対し吊り下げ固定が可能であって、前記光源部の照射角度が調整可能となるように前記筐体又は前記電源部の少なくとも一方に回動可能に取付られる吊り下げ部と；
を備える照明装置。
【請求項２】
前記筐体は表示部を備えており、前記表示部は前記給電接続部よりも下方側に配設されることを特徴とする請求項１記載の照明装置。
【請求項３】
前記電源部の上面側及び前記筐体の下面側には互いに連通する孔がそれぞれ設けられ、前記筐体内で前記電源供給部に接続されるとともに前記筐体内に配設される配線が、前記孔を介して前記電源部の内蔵部品と接続されることを特徴とする請求項１または２記載の照明装置。
【請求項４】
前記アーム部は、前記筐体の背面より背面方向に突出しないことを特徴とする請求項１ないし３いずれか１つに記載の照明装置。
【発明の詳細な説明】
【技術分野】
【０００１】
本発明の実施形態は、照明装置に関する。
【背景技術】
【０００２】
従来、天井面や吊り下げバトンなどの被設置部から吊り下げられて固定される照明装置が知られている。このような照明装置としては、例えば、舞台やスタジオ等で使用されるスポットライトなどが挙げられる。
【０００３】
舞台やスタジオ等で使用されるスポットライトにおいては比較的高い位置から光を照射するため、天井面に配設されたコンセントから電源を供給することが多い。この場合、照明装置から天井まで電源ケーブルを配線する必要があるが、照明装置と電源ケーブルの接続場所によっては、電源ケーブルが照明装置の制御を行う操作部や照明装置の状態を表す表示部や照明装置の光照射方向を調整するアーム部の前を横断してしまい、照明装置の操作、表示確認、照射方向調整を行う際に電源ケーブルが干渉して操作性が悪くなってしまう虞があった。
【先行技術文献】
【特許文献】
【０００４】
【特許文献１】特開２０１６−１１０９３４号公報
【発明の概要】
【発明が解決しようとする課題】
【０００５】
本発明が解決しようとする課題は、操作性が良く、長寿命化が期待できる照明装置を提供することである。
【課題を解決するための手段】
【０００６】
実施形態の照明装置は、前面側に光を出射可能に設けられる光源部及び少なくとも一部が背面側に露出するように設けられる給電接続部を備える筐体と、筐体の下方に配設されるとともに背面側にアーム部が設けられ、給電接続部から供給される電力を変換し、この変換した電力を光源部に供給する電源部と、被設置部に対し吊り下げ固定が可能であって、光源部の照射角度が調整可能となるように筐体又は電源部の少なくとも一方に回動可能に取付られる吊り下げ部とを備える。
【発明の効果】
【０００７】
実施形態によれば、操作性の良い照明装置を提供することが期待できる。
【図面の簡単な説明】
【０００８】
【図１】一実施形態の照明装置の側面図である。
【図２】一実施形態の照明装置の筐体を示す前方斜視図である。
【図３】一実施形態の照明装置の筐体を示す後方斜視図である。
【図４】一実施形態の照明装置の電源部を示す斜視図である。
【図５】一実施形態の照明装置の筐体と電源部を示す断面図である。
【図６】一実施形態の照明装置のレンズ部と光源部を示す断面図である。
【図７】一実施形態の照明装置を被設置部に取り付けた状態を示す斜視図である。
【発明を実施するための形態】
【０００９】
以下、一実施形態を、図面を参照して説明する。図１に照明装置１を天井面や吊り下げ用器具などの被設置部から吊り下げた状態を示す。なお、図１において被設置部と被設置部への固定手法は図示していない。本実施形態においては、図１のように、平方向に光を照射するように照明装置１を設置した状態で方向を定義する。例えば、上方向は被設置部へ向かう方向（反重力方向）、下方向は上方向と反対方向かつ被設置部から垂直方向に離間する方向（重力方向）、横方向・側方は上方向と下方向と交わる方向と定義する。照明装置１は筐体２、電源部３、吊り下げ部４、バンドア５を備えている。また、照明装置１の筐体２の内部には、レンズ部６と光源部７が配設されている。そして、外部配線８は筐体２の上方側から延出している。
【００１０】
図２と図３に筐体２を示す。本実施形態において筐体２は角部がなだらかな曲面で接続された略六面体の形状をしている。筐体２を主としてなす六面は、照明装置１から光が取り出される開口が設けられた光照射面２１、光照射面と対向する筐体背面２２、最も上方向に位置する筐体上面２３、筐体上面２３と対向する筐体下面２４、光照射面２１と筐体背面２２と筐体上面２３と筐体下面２４で形成された空間の側方を塞ぐように配設される筐体左側面２５、筐体左側面２５と同様に配設され筐体左側面と対向する筐体右側面２６、の六面である。本実施形態においては、筐体背面２２側から筐体２を見た状態で左右を定義している。光照射面２１と筐体背面２２は略平行であり、筐体左側面２５と筐体右側面２６は略平行に形成されている。また、光照射面２１は筐体背面２２より面積が大きく形成されているため、筐体下面２４は略水平に形成されているが、筐体上面２３は筐体背面２２から光照射面２１に向って傾斜している構造となっている。このように筐体上面２３を傾斜させることによって、筐体２全体を小さく見せる効果が期待できる。
【００１１】
筐体２の各面には必要に応じて、それぞれ貫通穴である孔８０が設けられていても良い。本実施形態では、筐体背面２２、筐体上面２３、筐体下面２４に孔８０を設けているが、他の面に孔８０を設けていても良い。また本実施形態では、孔８０は菱形形状の孔を複数個設けているが、菱形形状に限定されるものではない。例えば、丸形状であったり、四角形状であったり、星形状であったりしても良い。孔８０を設けることにより、筐体２内部の空気を筐体外に放出することができ、筐体２の内部温度を低減することが可能となる。なお、孔８０は安全性の面から人間の指が入らない形状に設けられることが望ましい。
【００１２】
光照射面２１には開口２１１が設けられている。開口２１１の開口寸法は後述するレンズ径よりも大きくなるように設けられており、レンズから照射された光が開口２１１を通って取り出される。
【００１３】
また光照射面２１からは筐体２の外側に向かってフィルタ取付部２１２が突出している。フィルタ取付部２１２は、光照射面２１と筐体左側面２５との接続部近傍に１つ、光照射面２１と筐体右側面２６との接続部近傍に１つ、そして、図２では図示していないが、光照射面２１と筐体下面２４との接続部の近傍に１つ、の計３か所に設けられる。３か所のフィルタ取付部２１２により、図示しないフィルタを開口部２１１に対向するように支持する。フィルタにより、開口部２１１を通って取り出された光の色を、光源色とは異なる色に変化させることができる。なお本実施形態では、フィルタは照明装置１の上方から取り付け、支持するため、光照射面２１と筐体上面２３との接続部近傍にはフィルタ取付部２１２は配設していないが、例えば、フィルタの取付方向が側方であれば、光照射面２１と筐体上面２３との接続部近傍にフィルタ取付部２１２を配設し、光照射面２１と筐体右側面２６との接続部近傍にはフィルタ取付部２１２を配設しない形態としても良い。つまり、フィルタの配設方向を除く３方向にフィルタ取付部２１２を配設することが好ましい。
【００１４】
筐体背面２２の外面であって筐体上面２３側には、給電接続部２２１、電源線接続部２２２、第一信号線接続部２２３、第二信号線接続部２２４が配設されている。給電接続部２２１は、外部の交流電源を入力するため電源コードが接続される。電源線接続部２２２は、外部（例えば他の照明装置）に電力を出力するためのコンセントである。第一信号線接続部２２３は、外部の調光器等から送信された信号を含む制御信号が入力される入力コネクタである。第二信号線接続部２２４は、第一信号線接続部２２３に入力した制御信号が出力される渡りコネクタである。これらの、電源コード、コンセントに接続される配線、信号線などが外部配線８となる。
【００１５】
また筐体背面２２の外面であって筐体下面２４側には、表示部２２５が配設されている。本実施形態での表示部２２５は、例えば、液晶表示部や有機ＥＬ（Electro  Luminescence）表示部として構成されており、主に照明装置１に関しての状態表示が行われる表示面を有している。なお表示部２２５は、デジタル表示するものに限定されるものではなく、ダイヤルなどアナログ表示するものであっても良い。
【００１６】
本実施形態での表示部２２５はカバー２２６を備えている。カバー２２６は開閉可能に設けられる必要があり、本実施形態では蝶番を用いて筐体背面２２にネジ止めされている。本実形態での表示部２２５はデジタル表示を行うものを用いており、例えば、表示部２２５のバックライトの明かりが邪魔にならないように塞いだり、持ち運びの際に表示部２２５を傷つけないように保護したりする際にカバー２２６を用いる。表示部２２５がアナログ表示するものの場合は、カバー２２６は設けなくても良い。
【００１７】
さらに、筐体背面２２の外面であって、筐体下面２４側には、後述するレンズを稼働させるためのハンドル２２７が配設されている。
【００１８】
また、本実施形態の筐体背面２２は、給電接続部２２１、電源線接続部２２２、第一信号線接続部２２３、第二信号線接続部２２４の４点からなる接続部と表示部２２５、ハンドル２２７の間に孔８０が配設されている。孔８０は、縦方向については、給電接続部２２１、電源線接続部２２２、第一信号線接続部２２３、第二信号線接続部２２４、表示部２２５、ハンドル２２７の近傍まで配設されており、横方向については、筐体背面２２と筐体左側面２５との接続点の近傍まで、筐体背面２２と筐体右側面２６との接続部近傍まで配設されている。
【００１９】
本実施形態における筐体上面２３は、筐体背面２２と筐体上面２３との接続部側の約半分の領域に孔８０が配設されている。
【００２０】
筐体下面２４には、電源部３が取り付けられ、照明装置１においては、筐体２の下方に電源部３が位置する構造となる。筐体下面２４と電源部３の間には空間を設けて配設されることが好ましく、例えば、筐体下面２４と電源部３の間にスペーサーを介して取り付けられたり、筐体下面２４と電源３との間に間隔を開けて取り付けるような電源取付部材を用いて取り付けられたりしても良い。
【００２１】
筐体下面２４には、電源部３へ配線を通すための筐体配線孔２４１が配設されている。筐体背面２２に配設されている、給電接続部２２１、第一信号線接続部２２３、第二信号線接続部２２４などに接続された配線が筐体２の内部を通り、筐体配線孔２４１を通って筐体２の外部へ取り出される。その後、電源部３へ配線が導かれる。本実施形態では、筐体配線孔２４１は３つ設けられており、各筐体配線孔２４１に１セットずつ配線が通される。例えば、１つの目の筐体配線孔２４１には給電線、２つ目の筐体配線孔２４１には第一信号線、３つ目の筐体配線孔２４１には第二信号線が通される。このように、別々の筐体配線孔２４１に配線を通すことにより、配線同士の間隔を開けることができノイズの影響を低減することができる。なお、ノイズの影響を気にしないケース、もしくは配線が少ないケールにおいては、筐体配線孔２４１を１つまたは２つとしても良く、１つの筐体配線孔２４１に複数の配線を通しても良い。
【００２２】
また、本実施形態における筐体下面２４は、筐体背面２２と筐体下面２４との接続部側の約半分の領域であって、筐体配線孔２４１が配設されていない領域に孔８０が配設されている。
【００２３】
筐体左側面２５、筐体左側面２６には吊り下げ部４が回動可能に連結されている。
【００２４】
次に図４、図５を用いて、電源部３を説明する。電源部３は上述のとおり、筐体２の筐体下面２４に、間隔を開けて取り付けられている。筐体下面２４と電源部３との間に間隔を開けることにより、電源部３の後述する電源回路の熱を筐体２に伝えにくくする効果を期待できる。同時に、筐体２の内部に配設される後述する光源の熱を電源部３に伝えにくくする効果も期待できる。
【００２５】
電源部は電源ボックス３１を備えている。本実施形態において、電源ボックス３１は、図４に示すように、上下方向に切断した際の断面が凹形状の箱形となっている。そして、電源ボックス３１は、電源ボックス３１上面の凹部にあたる電源ボックス凹面３１１、電源ボックス３１上面の凸部にあたる電源ボックス上面３１２、電源ボックス凹面３１１と電源ボックス上面３１２を接続する電源ボックス接続面３１３を備えている。
【００２６】
電源ボックス上面３１２は、電源ボックス凹面３１１をなす４辺のうち対向する２辺に沿って形成される。電源ボックス上面３１２の両端部にはネジ穴が設けられていても良く、このネジ穴を用いて電源部３を筐体２の筐体下面２４に取り付けられても良い。
【００２７】
電源ボックス接続面３１３は、電源ボックス凹面３１１と電源ボックス上面３１２を接続する面である。電源ボックス接続面３１３は、電源ボックス凹面３１１と電源ボックス上面３１２に対して垂直に形成されていても良いし、斜めに形成されていても良い。
【００２８】
電源ボックス凹面３１１には凸状の電源取付部材３２が配設されている。本実施形態において電源取付部材３２は、電源ボックス凹面３１１をなす４辺のうち、電源ボックス上面３１２が形成されていない対向する２辺に沿って配設されている。つまり、電源ボックス上面３１２が配設されている方向と略垂直となるように、２か所に配設されている。電源接続部材３２の突出面を筐体２の筐体下面２４に取り付けることによって、電源部３を筐体下面２４に取り付ける。もちろん、電源取付部材３２は初めから電源ボックス凹面３１１に配設されておらず、単体で存在していても良い。その場合、電源取付部材３２を先に筐体下面２４に取り付け、その後電源ボックス凹面３１１を電源取付部材３２に取り付ける形で取り付けられても良い。
【００２９】
電源取付部材３２の凸部分の突出幅は、電源ボックス接続面３１３の高さと同等以上である必要がある。なお、ここでの凸部分の突出幅とは上下方向における突出幅のことをいう。電源取付部材３２の突出幅と電源ボックス接続面３１３の高さが同等の場合、筐体下面２４と電源ボックス上面３１２が接触した状態で、電源部３が筐体２に取り付けられる。電源取付部材３２の突出幅が電源ボックス接続面３１３の高さより大きくなる場合、筐体下面２４と電源ボックス上面３１２との間に空間がある状態で、電源部３が筐体２に取り付けられる。なお、どちらの場合においても、筐体下面２４と電源ボックス凹面３１１との間には空間がある状態で、電源部３が筐体２に取り付けられる。
【００３０】
本実施形態においては、電源ボックス上面３１２と電源ボックス接続面３１３によって、電源部３と筐体２の間の空間の２方向を遮る、もしくは塞ぐ形態となる。つまり、電源部３と筐体２の間の空間は２方向しか解放されない形態となる。これによって、電源部３と筐体２の間の空間を流れる空気の方向を、電源ボックス上面３１２と電源ボックス接続面３１３と平行方向に制限し、効率よく電源部３と筐体２の間の空間の空気を対流させることができる。電源部３と筐体２の間の空間の４方向が解放されている場合は、４方向から空気が流入してきたり、空間の端を斜めに抜ける対流が発生したりと、効率的に空気を対流できなくなる虞がある。
【００３１】
また、電源ボックス凹面３１１には電源ボックス配線孔３３が配設されており、電源ボックス配線孔３３を囲うように電源ボックス凹面３１１から突出する配線カバー３４が配設されている。配線カバー３４の電源ボックス凹面３１１からの突出幅は、電源取付部材３２の凸部分の突出幅と同等以下であることが望ましい。本実施形態においては、配線ボックス配線孔３３は矩形の穴であり、配線カバー３４も矩形となるように形成されているが、矩形に限定されるものではなく、丸形状であっても良い。また、本実施形態においては、配線ボックス配線孔３３、配線カバー３４は３つずつ設けられているが、２つ以下または４つ以上設けられていても良い。
【００３２】
また、電源ボックス３１の電源ボックス凹面３１１と交わる面にはアーム部である電源ボックス取手３５が配設される。電源ボックス取手３５は、例えば、照明装置１を吊り下げて使用している際に、下方から照射方向を変える際の引っ掛け部として用いられる。そのため、電源ボックス取手３５は光照射方向とは反対側の背面側に取り付けられることが好ましい。
【００３３】
図５より、電源ボックス３１の内部には電源基板３６が配設される。電源基板３６は、後述する光源からの出力を制御可能に構成されており、外部の電源から供給される電力を制御して光源に供給する。
【００３４】
また図５に示すように、筐体２に電源部３を取り付けた状態で、筐体２の筐体下面２４の筐体配線孔２４１と、電源部３の電源ボックス３１の電源ボックス凹面３１１の電源ボックス配線孔３３とは連通する。ここでの連通とは、筐体配線孔２４１と電源ボックス配線孔３３との少なくとも一部分が重なっていることを言う。つまり、筐体配線孔２４１と電源ボックス配線孔３３とは、繋がっていなくても良く、お互いが間隔を開けて配設され、孔の少なくとも一部分が重っている形態であっても良い。
【００３５】
電源基板３６は電源を供給するための内部配線９０や、制御信号を入力するための内部配線９１などが接続される。これらの内部配線９０、９１は、電源基板３６と、給電接続部２２１や電源線接続部２２２や第一信号線接続部２２３や第二信号線接続部２２４を接続する。これらの内部配線９０、９１は、給電接続部２２１や電源線接続部２２２や第一信号線接続部２２３や第二信号線接続部２２４から延出され、筐体２の内部を、後述するヒートシンク７２に干渉しないように引き回される。その後、筐体下面２４の筐体配線孔２４１、配線カバー３４、配線ボックス配線孔３３を通って電源ボックス３１内部へ導かれた後、配線基板３６に接続される。そのため、内部配線９０、９１は外部に露出することなく筐体２から電源ボックス３１へ配線される。このように配線することで、配線を引っ掛けることがなくなり作業性が良くなるし、安全性や製品寿命を高めることもできる。なお、内部配線は内部配線９０、９１の２つに限定されるものではなく、３つ以上の内部配線が設けられていても良いし、給電用の内部配線のみが配設される形態でも良い。
【００３６】
次に、図１を参照して吊り下げ部４について説明する。吊り下げ部４は、筐体２の筐体左側面２５、筐体右側面２６のそれぞれに回動可能に連結された枠部材４１と、筐体２に枠部材４１を固定可能に構成されたロック装置４２と、枠部材４１に固定された固定部材４３とを有している。ロック装置４２は、例えば、ハンドル４４を有している。ロック装置４２は、ハンドル４４が回転されることにより、筐体２に対して枠部材４１を固定可能に構成されている。
【００３７】
枠部材４１は、例えばＵ字形状である。枠部材４１は、その両端部が、筐体２の筐体左側面２５、筐体右側面２６の面と平行な回動軸回りに回動可能に、筐体左側面２５、筐体右側面２６に連結されている。枠部材４１は、ロック装置４２により筐体左側面２５、筐体右側面２６に固定されることにより、その姿勢が固定される。即ち、枠部材４１は、回動することなく筐体２に固定される。固定部材４３は、例えば、その先端側に取付用フックを配設することで、スタジオ等の使用場所の天井から吊り下げられたバトンに着脱可能に取り付けることが可能となる。なお、吊り下げ部４に落下防止ワイヤなど、固定部材４３とは異なる固定機構を設けて、落下への安全性を高める構造としても良い。
【００３８】
このように固定部材４３や固定部材４３の先端に配設された取付用部材を用いて、バトンや天井などの非設置部に吊り下げ部を取り付けた状態で、筐体２側は回動可能に取り付けられているため、筐体２は回動することが可能となる。つまり、筐体２から照射される光の方向を任意に調整することができる。
【００３９】
バンドア５は、筐体２の光照射面２１の開口２１１の縁部に設けられている。バンドア５は、後述するレンズから照射された照射光の照射範囲を調整可能に構成されている。
【００４０】
次に図６を用いて、レンズ部６、光源部７の説明を行う。筐体２の内部は、筐体内仕切２７によって大きく２つの空間に分けられており、レンズ部６、光源部７はそれぞれ別の空間に配設されている。本実施形態では、筐体内仕切２７は筐体２の内部空間をほぼ２分する位置に配設されており、高さ方向は筐体上面２３と筐体下面２４に、横方向は筐体左側面２５と筐体右側面２６に、それぞれ筐体２の内側から接触するように配設されている。また、筐体内仕切２７はその中央部に筐体内仕切孔２７１が配設されている。
【００４１】
レンズ部６は、レンズ６１を備えている。レンズ６１は、例えば、フレネルレンズや凸レンズといったレンズである。レンズ６１は、後述する光源から照射された光が入射するように光源の正面側に配置され、光軸が光源から発される光の中心となるように配置されている。また、レンズ６１は、平面６１１が背面側であって光源に向き、凸面６１２が正面側であって筐体２の光照射面２１の開口２１１から外部に臨むように配置されている。  本実施形態において、レンズ６１は光軸方向に移動可能に筐体２に支持されている。なお、レンズ６１が筐体２に固定され、光源側が光軸方向に移動可能に筐体２に支持されていてもよい。即ち、光源とレンズ６１とは、光軸方向に相対的に移動可能な関係にある。
【００４２】
レンズ６１を移動可能に支持する調整手段６２は、回転軸６２１と、軸受６２２と、支持部６２３とを具備している。回転軸６２１は、筐体２の光照射方向の幅と略同等の長さであって、光軸方向と平行に延在した円柱棒状に形成され、筐体２の内部に配置されている。回転軸６２１は、レンズ部６と光源部７を貫通するように配設されている。回転軸６２１は、正面側の端部と背面側の端部とがそれぞれ軸受６２２を介して筐体２に支持されていることで回転可能に設けられている。また、回転軸６２１は、レンズ部６の空間から正面側（光照射側）に雄ネジ６２４が形成されている。回転軸６２１は、背面側の端部が筐体２の外部に突き抜けて設けられている。この回転軸６２１の背面側の端部にハンドル２２７が取り付けられている。即ち、回転軸６２１は、筐体２の背面側の外部においてハンドル２２７を回転操作することで回転される。
【００４３】
支持部６２３は、回転軸６２１に挿通され回転軸６２１の雄ネジ６２４に螺合されている。支持部６２３にレンズ６１が固定されている。これにより、支持部６２３は、ハンドル２２７によって回転軸６２１が一方向へ回転した場合に、回転軸６２１の雄ネジ６２４との螺合によってレンズ６１を伴って光軸方向の正面側に移動する。また、支持部６２３は、ハンドル２２７によって回転軸６２１が他方向へ回転した場合に、回転軸６２１の雄ネジ６２４への螺合によってレンズ６１を伴って光軸方向の背面側に移動する。なお、調整手段６２は、支持部６２３に光源またはヒートシンクが固定されて、光源またはヒートシンクを光軸方向に移動させてもよい。
【００４４】
本実施形態においては、レンズ６１をレンズ枠６３で囲っており、レンズ枠６３が支持部６２３に固定されている構造となっている。これにより、レンズ６１とレンズ枠６３と支持部６２３が一体に稼働する。レンズなど、破損しやすいものや、支持するためのスペースが小さいものについては、本実施形態のような枠部材を用いることで、安全かつ安定して支持することが可能となる。
【００４５】
光源部７には、光源７１とヒートシンク７２が配設される。光源７１は、例えば、ＬＥＤモジュールであり、ＬＥＤモジュールは、チップオンボード（ＣＯＢ：Chip  On  Board）型のモジュールであり、基板と発光ダイオード（ＬＥＤ：Light  Emitting  Diode）を備えている。基板は、平坦である板状に形成されている。発光ダイオードは、基板の一方の面に配置され、基板に実装されている。発光ダイオードは、複数設けられていてもよく、この場合、基板の一方の面のうちの互いに異なる複数の位置にそれぞれ配置され、基板に実装されている。発光ダイオードは、基板から電力が供給されることにより、光軸方向と平行に光を照射する。
【００４６】
光源７１の基板とヒートシンク７２が接触するように、光源７１は配設される。この時、光源７１の基板は動かないように、例えばネジ止めなどで固定されることが望ましい。そして、光源７１の発光部がレンズ６１に対向するように、光源７１を配設したヒートシンク７２が筐体２内に配置される。
【００４７】
そして、光源７１から照射された光は、筐体内仕切２７の筐体内仕切孔２７１を通過した後、レンズ６１の平面６１１に入射し、レンズ６１の凸面６１２が出射し、筐体２の光照射面２１の開口２１１から外部に出射される。この時、レンズ６１が光源７１に近づくことで、レンズ６１と光源７１の距離が短くなり、光源７１から出射された光が広がる前にレンズ６１に入射する。つまり、光源７１から出た光が大きく拡散せず、外部に取り出される光の照射径が小さくなる。逆に、レンズ６１が光源７１から遠ざかった場合は、光源７１から出射された光が広がった状態でレンズ６１に入射する。そして、外部に取り出される光の照射径が大きくなる。
【００４８】
光源７１から生じた熱はヒートシンク７２を介して筐体２の中に放熱され、筐体２の各面に設けられた孔８０から筐体２の外部へ放出される。そのため、孔８０は、筐体２のヒートシンク７２の放熱量が多い箇所と対向する面に多く設けられることが望ましい。例えば、筐体２のヒートシンク７２のフィンと対向する面やフィンと平行な面に孔８０を多く設けることで、ヒートシンク７２から放たれた熱を効率よく外部へ放出することができる。本実施形態では、レンズ部６と光源部７は筐体内仕切孔２７１によって隔てられており、光源部７で生じた熱がレンズ部６へ向かうことは少ないため、筐体２の光源部７と対向する面に孔８０を設けている。これにより、孔８０を必要最低限の量に抑えることができるため、孔８０を多く設けて必要以上に筐体２の強度を低下することがなく、安全性を高めることができる。
【００４９】
また、図６に示すようにヒートシンク７２と筐体２の筐体背面２２の間に遮熱板１１０を配設しても良い。筐体背面２２と遮熱板１１０によって遮熱空間１１１が形成される。遮熱板１１０は、ヒートシンク７２と筐体背面２２に配設される給電接続部２２１、または電源線接続部２２２、または第一信号線接続部２２３、または第二信号線接続部２２４の間に配設されることが好ましい。遮熱板１１０は複数枚設けられて、給電接続部２２１、電源線接続部２２２、第一信号線接続部２２３、第二信号線接続部２２４それぞれとヒートシンク７２の間に配設されていても良いし、遮熱板１１０は１枚のみで、給電接続部２２１、電源線接続部２２２、第一信号線接続部２２３、第二信号線接続部２２４の全てとヒートシンク７２の間に配設されるように筐体２の内部を横方向に横断して配設されても良い。
【００５０】
次に本実施形態の照明装置１を照射する際の効果について説明する。
【００５１】
図７に照明装置１を被設置部として、吊り下げバトン１００に取り付けた状態を示す。図７では、照明装置１の吊り下げ部４の固定部材４３に吊り下げ用フック１０１を配設し、吊り下げ用フック１０１を吊り下げバトンに引っ掛けることで、照明装置１が吊り下げバトン１００に取り付けられる。
【００５２】
照明装置１は、例えば、舞台やスタジオで用いられるスポットライトであり、人の動きやステージ演出に合わせて照射する方向を変える必要がある。特に、図７のように吊り下げバトン１００に吊り下げて高所から照射する場合、天井側（天井面に配設されたコンセントや吊り下げバトン１００に配設されたコンセントなど）から給電されることが多い。その場合、図７に示すように、給電接続部２２１から延出する外部配線８を天井側へ導くように配線される。そしてその状態で、下方から鉤のついた棒状のものを照明装置１に引っ掛けて方向を変える。この際、アーム部（本実施形態においては、電源ボックス取手３５）などに鈎を引っ掛けるが、従来の照明装置では電源ボックス３１に給電接続部２２１が設けられており、電源ボックス３１から天井側へ向かって外部配線８が延出されていたため、アーム部と外部配線８が近い位置に存在していた。そのため、誤って外部配線８に鈎を引っ掛けて外部配線８を傷つけたりしないように、慎重に引っ掛ける必要があり操作性、作業性が悪かった。
【００５３】
本実施形態においては、電源ボックス３１に収納されている配線基板３６から、筐体２の内部を通って、筐体２の筐体背面２２の筐体上面２３側に配設された給電接続部２２１、電源線接続部２２２、第一信号線接続部２２３、第二信号線接続部２２４から外部配線８が取り出される構成となっている。そして、筐体２の筐体上面２３側から天井に向かって外部配線８が接続される。これにより、アーム部より離間した位置であって、かつアーム部より上方に外部配線８が位置する構造となるため、鈎をアーム部に引っ掛ける際に外部配線８が干渉することがなく、外部配線８を傷つけることを考慮せずに作業を行うことができ作業性が良い。
【００５４】
また、従来構成では、電源ボックス３１から天井へ向かって外部配線８が延出されていたため、電源ボックス３１より上方に存在する表示部２２５を操作したり、表示内容を確認したりする際にも、外部配線が干渉し、操作性が悪くなるという問題点があった。本実施形態の構成とすることで、表示部２２５より上方に外部配線８が位置する構造となるため、表示部２２５を操作したり、表示内容を確認したりする際にも作業性が良くなる。
【００５５】
本実施形態では、アーム部である電源ボックス取手３５は、表示部２２５が配設されている筐体背面２２には配設されておらず、表示部２２５とは同一面に配設されていない。加えて、アーム部である電源ボックス取手３５は筐体背面２２より背面側に突出しない構造となっている。さらに、表示部２２５はアーム部より上方に配設されている。これらの構造により、下方から鉤をアーム部に引っ掛ける作業は、表示部２２５が存在する面より光照射側の面を狙っての作業となるため、誤って表示部２２５に鈎が接触し破壊してしまうという事態を抑制することが可能となる。また、表示部２２５に配設しているカバー２２６を併用することで、より強固に防御することができる。
【００５６】
また舞台やスタジオ等で使用されるスポットライトにおいては、密閉空間で室内温度が高くなりやすい点に加えて、暖かい空気が上昇してくる位置に設置される点から、スポットライトの内部部品の温度が高くなりやすく、スポットライトの寿命が短くなってしまう虞もあった。
【００５７】
照明装置１を高所から照射する場合は、図７に示すように、下向きに光を照射することが多い。その際は、筐体２の筐体背面２２が上方となるように斜めに照明装置１が設置されるため、筐体背面２２の筐体上面２３側に給電接続部２２１、電源線接続部２２２、第一信号線接続部２２３、第二信号線接続部２２４がヒートシンク７２の上方に位置することとなる。温められた空気は上昇するため、このような状態で光を照射した場合、給電接続部２２１、電源線接続部２２２、第一信号線接続部２２３、第二信号線接続部２２４がヒートシンク７２の熱を直接受け、変形してしまう虞がある。そのため、給電接続部２２１、電源線接続部２２２、第一信号線接続部２２３、第二信号線接続部２２４とヒートシンク７２の間に遮熱板１１０を設けることで遮熱領域１１１を形成し、給電接続部２２１、電源線接続部２２２、第一信号線接続部２２３、第二信号線接続部２２４がヒートシンク７２の熱を受けにくい構造としても良い。ここでの遮熱領域１１１とは、遮熱板１１０より給電接続部２２１、電源線接続部２２２、第一信号線接続部２２３、第二信号線接続部２２４側の空間のことを言う。なお遮熱板は、給電接続部２２１、電源線接続部２２２、第一信号線接続部２２３、第二信号線接続部２２４をまとめて一枚で覆う構造であっても良いし、それぞれを個別に覆うような構造であっても良い。それぞれを個別に覆う場合は、遮熱領域１１１は複数個構成される。
【００５８】
また、遮熱領域１１１を形成する筐体２の面には孔８０が設けられていても良いし、設けていなくても良い。孔８０を設けた場合は、遮熱領域１１１の空気を対流させ温度を低減する効果を期待できる。孔８０を設けない場合は、遮熱領域１１１の外側から、遮熱領域１１１へ熱を取り込むことを防ぎ、温度上昇を抑制する効果を期待できる。
【００５９】
さらに遮熱板を、給電接続部２２１、電源線接続部２２２、第一信号線接続部２２３、第二信号線接続部２２４それぞれとヒートシンク７２の間だけではなく、給電接続部２２１、電源線接続部２２２、第一信号線接続部２２３、第二信号線接続部２２４の筐体２の内側に配設されている部分全てを覆うように配設しても良い。給電接続部２２１、電源線接続部２２２、第一信号線接続部２２３、第二信号線接続部２２４は充電部となるため、この部分を覆うことで、埃が充電部に堆積しないためトラッキングによる発火を防止することが可能となり、仮に発火した場合でも延焼を防止することができる。
【００６０】
また、本実施形態では、給電接続部２２１、電源線接続部２２２、第一信号線接続部２２３、第二信号線接続部２２４、表示部２２５など人が操作を行う必要がある部分を１つの面（筐体背面２２）にまとめている。これにより、セットアップ時に人の動きを少なくでき、施工性を向上することが可能となる。
【００６１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６２】
１  照明装置
２  筐体
３  電源部
４  吊り下げ部
５  バンドア
６  レンズ部
７  光源部
８  外部配線
【図１】
2020202037.tif 000003
【図２】
2020202037.tif 000004
【図３】
2020202037.tif 000005
【図４】
2020202037.tif 000006
【図５】
2020202037.tif 000007
【図６】
2020202037.tif 000008
【図７】
2020202037.tif 000009